(57)【要約】  本発明は指紋情報による認証を行う通信システムを提供する。前記通信システムは指紋センサー装置、通信応用ユニットを含む。前記通信応用ユニットは通信ソフトウェア、暗号化ソフトウェア及び暗号化ソフトウェアと逆の解読ソフトウェアを含む。当該通信システムは下記のステップを含む：Ａ）友達を追加する段階；Ｂ）暗号化送信する段階；Ｃ）解読識別する段階。本発明は前記されたシステムを利用して、指紋によるメッセージに対して暗号化及び解読する管理を行われることができる。したがって、如何なる指紋所有人以外の人は暗号化されたメッセージを調べられないので、元の基礎でユーザー情報及びプライバシーの秘密性及び安全性を向上させることができる。
2014527786.tif 000002
【特許請求の範囲】
【請求項１】
指紋情報による通信システムであって、指紋センサー装置、通信応用ユニットを含む。前記通信応用ユニットは通信ソフトウェア、暗号化ソフトウェア及び暗号化ソフトウェアと逆の解読ソフトウェアを含み、
当該通信システムは下記のステップを含む：
Ａ）友達を追加する段階：
第１のユーザーは、指紋センサー装置によってその指紋情報を抽出し、第１のユーザーの指紋情報及び友達を追加する命令を通信ソフトウェアによって第２のユーザーに送信する；第２のユーザーは、友達を追加する命令を受信してから、指紋センサー装置によってその指紋情報を抽出し、第２のユーザーの指紋情報及び友達を確認する命令を通信ソフトウェアによって第１のユーザーに送信して、第１のユーザーと第２のユーザーは友達になる；
Ｂ）暗号化送信する段階：
第１のユーザーは指紋センサー装置によってその指紋情報を抽出し且つ通信ソフトウェアで送信しようとするメッセージを入力する；第１のユーザーの指紋によって第１のユーザーの身分を確認した後、暗号化ソフトウェアは送信しようとするメッセージを暗号化して通信ソフトウェアによって第２のユーザーに送信する；
Ｃ）解読識別する段階：
通信ソフトウェアによって第１のユーザーから送信された暗号化メッセージを受信してから、第２のユーザーは指紋センサー装置によってその指紋情報を抽出し、第２のユーザーの指紋情報によって第２のユーザーの身分を確認して、第２のユーザーは解読ソフトウェアによって暗号化メッセージを解読して、解読されたメッセージに対して識別及び読取を行うことを特徴とする通信システム。
【請求項２】
請求項１に記載された指紋情報による認証を行う通信システムにおいて、
前記通信ソフトウェアはマイクロメッセージ、マイクロブログ、ＱＱ、ＭＳＮ、ＳＫＴＰＥの中の一つ又はいくつ含むことを特徴とする。
【請求項３】
請求項１に記載された指紋情報による認証を行う通信システムにおいて、
第１のユーザーは送信するメッセージはヴォイス、文字、図面、ビデオの中の一つ又はいくつ含むことを特徴とする。
【請求項４】
請求項１に記載された指紋情報による認証を行う通信システムにおいて、
ステップＡ）の前にステップＤ）がある。第１のユーザーは又は第２のユーザーはその自身の指紋情報によって通信ソフトウェアを登録又はログインして、通信ソフトウェアに第１のユーザー及び第２のユーザーのユーザー情報が保存されている。
【請求項５】
請求項１〜４のいずれか１項に記載された指紋情報による認証を行う通信システムが携帯電話に利用される用途である。
【請求項６】
請求項１〜４のいずれか１項に記載された指紋情報による認証を行う通信システムがコンピューターに利用される用途である。
【発明の詳細な説明】
【発明の詳細な説明】
【０００１】
〔技術分野〕
本発明は、指紋情報による認証を行う通信システム及びその用途に関わっている。
【０００２】
〔背景技術〕
現在、マイクロメッセージ、ＱＱなどチャットソフトウェアはインターネットによってヴォイスメッセージ、ビデオ、図面及び文字を送信できるし、グループチャットも提供される。スマートフォン及びコンピューターの普及により、それらのチャットソフトウェアも人々に受け入れ及び利用される。このようなソフトウェアは、チャット内容に対して暗号より保護してないので、如何なる人がアカウント及びパスワードを分かるだけでチャット内容を入手できるため、安全性は高くない。
【０００３】
〔発明の概要〕
本発明は指紋情報による認証を行う通信システムを提供し、元の通信応用ユニットの元に送信するメッセージに対して暗号化及び解読を行う。
【０００４】
本発明は採用された技術案は指紋情報による認証を行う通信方法であり、指紋センサー装置、通信応用ユニットを含む。前記通信応用ユニットは通信ソフトウェア、暗号化ソフトウェア及び暗号化ソフトウェアと逆の解読ソフトウェアを含む。
【０００５】
当該通信システムは下記のステップを含む：
Ａ）友達を追加する段階：
第１のユーザーは、指紋センサー装置によってその指紋情報を抽出し、第１のユーザーの指紋情報及び友達を追加する命令を通信ソフトウェアによって第２のユーザーに送信する；第２のユーザーは、友達を追加する命令を受信してから、指紋センサー装置によってその指紋情報を抽出し、第２のユーザーの指紋情報及び友達を確認する命令を通信ソフトウェアによって第１のユーザーに送信して、第１のユーザーと第２のユーザーは友達になる；
Ｂ）暗号化送信する段階：
第１のユーザーは指紋センサー装置によってその指紋情報を抽出し且つ通信ソフトウェアで送信しようとするメッセージを入力する；第１のユーザーの指紋によって第１のユーザーの身分を確認した後、暗号化ソフトウェアは送信しようとするメッセージを暗号化して通信ソフトウェアによって第２のユーザーに送信する；
Ｃ）解読識別する段階：
通信ソフトウェアによって第１のユーザーから送信された暗号化メッセージを受信してから、第２のユーザーは指紋センサー装置によってその指紋情報を抽出し、第２のユーザーの指紋情報によって第２のユーザーの身分を確認して、第２のユーザーは解読ソフトウェアによって暗号化メッセージを解読して、解読されたメッセージに対して識別及び読取を行う。
【０００６】
好ましくは、前記通信ソフトウェアはマイクロメッセージ、マイクロブログ、ＱＱ、ＭＳＮ、ＳＫＹＰＥの中の一つ又はいくつ含む。
【０００７】
好ましくは、第１のユーザーは送信するメッセージはヴォイス、文字、図面、ビデオの中の一つ又はいくつ含む。
【０００８】
好ましくは、ステップＡ）の前にステップＤ）がある。第１のユーザーは又は第２のユーザーはその自身の指紋情報によって通信ソフトウェアを登録又はログインして、通信ソフトウェアに第１のユーザー及び第２のユーザーのユーザー情報が保存されている。
【０００９】
指紋情報による認証を行う通信システムが携帯電話に利用される用途である。
【００１０】
指紋情報による認証を行う通信システムがコンピューターに利用される用途である。
【００１１】
本発明は前記されたシステムを利用して、指紋によるメッセージに対して暗号化及び解読する管理を行うことができる。したがって、如何なる指紋所有人以外の人は暗号化されたメッセージを調べられないので、元の基礎でユーザー情報及びプライバシーの秘密性及び安全性を向上させることができる。
【００１２】
〔図面についての説明〕
図１は、本発明のフロー図を示している。
【００１３】
〔具体的な実施形態〕
以下では、図面を参照して本発明の好ましい実施形態について詳しく記述して、当業者が本発明の優れた点及びと特徴をより良く理解させ、本発明の範囲をより明確に限定できる。
【００１４】
図１に示すように、指紋情報による認証を行う通信システムであり、指紋センサー装置、通信応用ユニットを含む。前記通信応用ユニットは通信ソフトウェア、暗号化ソフトウェア及び暗号化ソフトウェアと逆の解読ソフトウェアを含む。
【００１５】
指紋センサー装置はメモリ及び指紋センサーを含む。指紋センサーはユーザーの指紋を抽出し、認証を行う。メモリは主に指紋認証情報、ユーザー交換したメッセージ及びメッセージの暗号化、解読する用秘密鍵を保存する。
【００１６】
当該通信システムは下記のステップを含む：
Ａ）友達を追加する段階：
第１のユーザーは、指紋センサー装置によってその指紋情報を抽出し、第１のユーザーの指紋情報及び友達を追加する命令を通信ソフトウェアによって第２のユーザーに送信する；
第２のユーザーは、友達を追加する命令を受信してから、指紋センサー装置の指紋センサーによってその指紋情報を抽出し、第２のユーザーの指紋情報及び友達を確認する命令を通信ソフトウェアによって第１のユーザーに送信して、それと同時に指紋センサー装置に第２のユーザーの指紋情報を保存する。
【００１７】
指紋情報の交換を通じて、第１のユーザーと第２のユーザーは友達になる。
【００１８】
Ｂ）暗号化送信する段階：
第１のユーザーは第２のユーザーと友達になってから、第１のユーザーは指紋センサー装置の指紋センサーによってその指紋情報を抽出し、且つ当該指紋を指紋センサー装置のメモリに保存された指紋情報と比較して、第１のユーザーの身分を確認し、一致する場合、第１のユーザーの身分を確認する；通信ソフトウェアで送信しようとするメッセージを入力する；暗号化ソフトウェアは送信しようとするメッセージを暗号化して通信ソフトウェアによって第２のユーザーに送信する；
Ｃ）解読識別する段階：
第１のユーザーから送信された暗号化メッセージを受信してから、第２のユーザーは指紋センサー装置の指紋センサーによってその指紋情報を抽出し、且つ当該指紋を指紋センサー装置のメモリに保存された指紋情報と比較して、第２のユーザーの身分を確認し、一致する場合、第２のユーザーの身分を確認する；第２のユーザーは解読ソフトウェアによって暗号化メッセージを解読して、解読されたメッセージに対して識別を行う。
【００１９】
通信応用ユニットは通信ソフトウェア、暗号化ソフトウェア及び解読ソフトウェアを含む。
【００２０】
その中に、通信ソフトウェアはマイクロメッセージ、マイクロブログ、ＱＱ、ＭＳＮ 、ＳＫＹＰＥの中の一つ又はいくつである。通信ソフトウェアによって送信するメッセージはヴォイス、文字、図面、ビデオの中の一つ又はいくつである。
【００２１】
暗号化ソフトウェアと解読ソフトウェアはメッセージを暗号化し及び逆に解読できる。暗号化ソフトウェアと解読ソフトウェアは直接に通信ソフトウェアにロードされる、又は通信ソフトウェアと相互調達されたプログラムソフトウェアである。
暗号化ソフトウェアは送信しようとするメッセージを指紋情報と結び合わせ暗号化できる。解読ソフトウェアは暗号化されたメッセージを解読できる。
【００２２】
当該通信システムは携帯電話、コンピューター及び各種の端末ユニットに応用できる。
【００２３】
本発明の第２の実施例と第１の実施例の区別は、ステップＡ）の前にステップＤ）を含むことである。第１のユーザーと第２のユーザーは自身の指紋情報によって通信ソフトウェアにログインして、通信ソフトウェアに第１のユーザーと第２のユーザーのユーザー情報を保存されている。通信ソフトウェアにエントリーする前に、第１のユーザーと第２のユーザーは自身の指紋情報を利用して登録できる。登録後、第１のユーザーと第２のユーザーは自身の指紋情報によって通信ソフトウェアにログインできる。前述されたように、指紋情報は人それぞれが独有され、従いまして、ハイプライバシーを有する。
【００２４】
本発明は上記された方法を利用して、指紋情報によってメッセージに対して暗号化管理を行われる。そのため、指紋所有人以外の如何なる人は暗号化されたメッセージを読められない、元の基礎でユーザー情報及びプライバシーの秘密性及び安全性を向上できる。
【００２５】
以上図を参照して本発明の特定の実施形態を記述したが、明らかに、本発明の範囲及び趣旨の元に、現有技術及びプロセスに対して多くの改善ができる。本発明が所属された技術分野において、通常の常識を有すれば、本発明の技術趣旨の範囲以内多様な変更を行うことができる。
【図面の簡単な説明】
【００２６】
【図１】本発明のフロー図を示している。
【図１】
2014527786.tif 000003
【国際調査報告】
2014527786.tif 000004
2014527786.tif 000005
2014527786.tif 000006
2014527786.tif 000007